(57)【要約】【課題】複数の種類の電源のうちいずれの種類の電源を使用可能であるのかをユーザに把握させること。【解決手段】実施形態の電源判別装置は、入力される制御電源が２種類以上の複数の制御電源であって、制御電力出力手段に対して接続可能又は配設される。なお、制御電力出力手段は、制御電源を出力する出力部が固有の形状である。以下で説明する実施形態の電源判別装置は、判別部と、報知部とを具備する。判別部は、複数の制御電源の複数の種類のうち入力された制御電源の種類を判別する。報知部は、判別部による判別結果を報知する。【選択図】図４
2016066419.tif 000002
【特許請求の範囲】
【請求項１】
入力される制御電源が２種類以上の複数の制御電源であって前記制御電源を出力する出力部は固有の形状である制御電力出力手段に対して接続可能又は配設される電源判別装置において、
前記複数の制御電源の複数の種類のうち入力された制御電源の種類を判別する判別部と；
前記判別部による判別結果を報知する報知部と；
を具備することを特徴とする電源判別装置。
【請求項２】
前記複数の制御電源は、商用電源及び商用電源が位相制御された電源であり、
前記判別部は、入力された電源の電圧波形を、閾値を用いてオン又はオフに二値化した波形に変換する波形変換部を更に具備し、
前記波形変換部により前記商用電源が位相制御された電源の電圧波形がオン又はオフに二値化された波形のオフの区間の長さは、前記波形変換部により前記商用電源の電圧波形がオン又はオフに二値化された波形のオフの区間の長さよりも長い
ことを特徴とする請求項１に記載の電源判別装置。
【請求項３】
前記判別部は、前記波形変換部により変換された波形のオフの区間の長さに基づいて、入力された電源が、商用電源か、商用電源が位相制御された電源であるかを判別する
ことを特徴とする請求項２に記載の電源判別装置。
【請求項４】
請求項１〜３の何れか１つに記載の電源判別装置と；
器具に電源を供給するための制御電力出力手段と；
前記制御電力出力手段及び前記電源判別装置に入力する電源を前記複数の制御電源のうちのいずれかに切り替える切替部と；
を具備することを特徴とする電源システム。
【請求項５】
位相制御装置の出力電圧波形は、商用電源の電圧波形がオン又はオフに二値化された波形のオフの区間の長さよりも長いオフの区間を持つことを特徴とする請求項４に記載の電源システム。
【発明の詳細な説明】
【技術分野】
【０００１】
本発明の実施形態は、電源判別装置及び電源システムに関する。
【背景技術】
【０００２】
白熱電球、ＬＥＤ（Light  Emitting  Diode）等を含む照明器具や、モータが駆動することにより動作する器具などの各種の器具に供給する電源を、商用電源、及び、商用電源が位相制御された電源の２種類の電源のうちいずれかの電源に切り替える電源システムがある。
【０００３】
上述した電源システムでは、商用電源又は商用電源が位相制御された電源がコンセントを介して各種の器具に供給される。また、上述した電源システムでは、コンセントの近傍に、コンセントに電源が供給されると点灯する給電灯が設けられる場合がある。
【０００４】
このように、上述した電源システムは、給電灯を点灯させることにより、コンセントに器具をつなぐと電源が器具に供給されることをユーザに把握させることができる。しかしながら、上述した電源システムは、コンセントに器具をつないだ場合に、この器具に供給される電源の種類が、商用電源であるのか、又は、商用電源が位相制御された電源であるのかをユーザに把握させることができない。すなわち、上述した電源システムは、２種類の電源のうちいずれの種類の電源を使用可能であるのかをユーザに把握させることができない。
【先行技術文献】
【特許文献】
【０００５】
【特許文献１】特開２０１１−７６８７９号公報
【発明の概要】
【発明が解決しようとする課題】
【０００６】
本発明が解決しようとする課題は、複数の種類の電源のうちいずれの種類の電源を使用可能であるのかをユーザに把握させることである。
【課題を解決するための手段】
【０００７】
実施形態の電源判別装置は、入力される制御電源が２種類以上の複数の制御電源であって、制御電力出力手段に対して接続可能又は配設される。なお、制御電力出力手段は、制御電源を出力する出力部が固有の形状である。以下で説明する実施形態の電源判別装置は、判別部と、報知部とを具備する。判別部は、複数の制御電源の複数の種類のうち入力された制御電源の種類を判別する。報知部は、判別部による判別結果を報知する。
【発明の効果】
【０００８】
実施形態の電源判別装置によれば、複数の種類の電源のうちいずれの種類の電源を使用可能であるのかをユーザに把握させることができるという効果が期待できる。
【図面の簡単な説明】
【０００９】
【図１】図１は、第１の実施形態に係る電源判別装置１０が適用された電源システム１の構成の一例を示す図である。
【図２】図２は、電源判別装置１０の構成の一例を示す図である。
【図３Ａ】図３Ａは、フォトカプラ１４が、入力された電源の電圧波形を、所定の閾値を用いてオン又はオフに二値化した波形に変換する動作の一例について説明するための図である。
【図３Ｂ】図３Ｂは、フォトカプラ１４が、入力された電源の電圧波形を、所定の閾値を用いてオン又はオフに二値化した波形に変換する動作の一例について説明するための図である。
【図４】図４は、ＣＰＵ１５の機能構成の一例を示す図である。
【図５】図５は、実施形態に係る電源判別装置１０のＣＰＵ１５が実行する報知制御処理の手順を示すフローチャートである。
【発明を実施するための形態】
【００１０】
以下で説明する実施形態の電源判別装置は、入力される制御電源が２種類以上の複数の制御電源であって、制御電力出力手段に対して接続可能又は配設される。なお、制御電力出力手段は、制御電源を出力する出力部が固有の形状である。以下で説明する実施形態の電源判別装置は、判別部と、報知部とを具備する。判別部は、複数の制御電源の複数の種類のうち入力された制御電源の種類を判別する。報知部は、判別部による判別結果を報知する。
【００１１】
以下で説明する実施形態の電源判別装置において、判別部は、入力された電源が２種類の電源のうちいずれの種類の電源であるかを判別する。
【００１２】
また、以下で説明する実施形態の電源判別装置において、判別部は、入力された電源が、商用電源か、商用電源が位相制御された電源であるかを判別する。
【００１３】
また、以下で説明する実施形態の電源判別装置は、入力された電源の電圧波形を、所定の閾値を用いてオン又はオフに二値化した波形に変換する波形変換部を更に具備する。そして、以下で説明する実施形態の電源判別装置において、波形変換部により商用電源が位相制御された電源の電圧波形がオン又はオフに二値化された波形のオフの区間の長さは、波形変換部により商用電源の電圧波形がオン又はオフに二値化された波形のオフの区間の長さよりも長い。
【００１４】
また、以下で説明する実施形態の電源判別装置において、判別部は、波形変換部により変換された波形のオフの区間の長さに基づいて、入力された電源が、商用電源か、商用電源が位相制御された電源であるかを判別する。
【００１５】
また、以下で説明する実施形態の電源システムは、電源判別装置と、器具に電源を供給するための制御電力出力手段と、制御電力出力手段及び電源判別装置に入力する電源を複数の制御電源のうちのいずれかに切り替える切替部とを具備する。
【００１６】
また、以下で説明する実施形態の電源システムにおいて、位相制御装置の出力電圧波形は、商用電源の電圧波形がオン又はオフに二値化された波形のオフの区間の長さよりも長いオフの区間を持つ。
【００１７】
以下、各図面を参照して、各実施形態に係る電源判別装置及び電源システムを説明する。各図面において同一部分には同一符号を付し、重複した説明は省略する。
【００１８】
（実施形態）
図１を参照して、実施形態の電源判別装置及び電源システムについて説明する。
【００１９】
［電源システム１の構成］
図１は、第１の実施形態に係る電源判別装置１０が適用された電源システム１の構成の一例を示す図である。電源システム１は、例えば、舞台やテレビなどのスタジオに設けられる。
【００２０】
図１に示すように、電源システム１は、調光基盤２１と、分岐盤２２と、電源判別装置１０と有する。
【００２１】
調光基盤２１は、ブレーカ２１ａと、位相制御装置２１ｂとを有する。位相制御装置２１ｂは、ブレーカ２１ａを介して商用電源３０と接続されており、商用電源３０から商用電源が供給される。位相制御装置２１ｂは、逆並列接続された一対のサイリスタ（図示せず）を有する。この一対のサイリスタにより、商用電源が位相制御されて出力される。なお、商用電源及び商用電源が位相制御された電源は、制御電源の一例である。
【００２２】
分岐盤２２は、ブレーカ２２ａと、スイッチ２２ｂとを有する。スイッチ２２ｂは、位相制御装置２１ｂに接続された接点２２ｃと、ブレーカ２２ａを介して商用電源３０に接続された接点２２ｄとを有する。スイッチ２２ｂの接続先を接点２２ｃにすると、商用電源が位相制御された電源が、位相制御装置２１ｂから電源判別装置１０に供給される。また、スイッチ２２ｂの接続先を接点２２ｄにすると、商用電源が、商用電源３０から電源判別装置１０に供給される。このように、スイッチ２２ｂは、電源判別装置１０に入力する電源を、商用電源及び商用電源が位相制御された電源の何れか一方の電源に切り替える。スイッチ２２ｂは、切替部の一例である。
【００２３】
電源判別装置１０は、入力された電源が２種類の電源（商用電源及び商用電源が位相制御された電源）のうちいずれの種類の電源であるかを判別し、判別結果を報知する装置である。
【００２４】
図２は、電源判別装置１０の構成の一例を示す図である。図２の例に示すように、電源判別装置１０は、コンセント１１と、複数のＬＥＤ１２と、電源回路１３と、フォトカプラ１４と、ＣＰＵ（Central  Processing  Unit）１５と、抵抗１６とを有する。
【００２５】
コンセント１１は、分岐盤２２のスイッチ２２ｂと接続されており、スイッチ２２ｂにより切り替えられた商用電源及び商用電源が位相制御された電源の何れか一方の電源が供給される。また、コンセント１１の出力部（図示せず）は、器具５０のコネクタ５１と接続することが可能となっている。このコネクタ５１がコンセント１１の出力部と接続されると、コンセント１１の出力部は、供給された電源を、コネクタ５１を介して、器具５０に出力する。すなわち、コンセント１１は、器具５０に電源を供給するためのものである。また、コンセント１１が、電源判別装置１０に含まれず、コンセント１１と電源判別装置１０とが別々に設けられていてもよい。この場合、コンセント１１及び電源判別装置１０に別々に電源が入力されることとなる。したがって、この場合、上述のスイッチ２２ｂは、電源判別装置１０及びコンセント１１に入力する電源を、商用電源及び商用電源が位相制御された電源の何れか一方の電源に切り替えるスイッチとなる。なお、コンセント１１は、制御電力出力手段の一例である。また、コンセント１１の出力部は、平行型や、タンデム型などの固有の形状である。
【００２６】
本実施形態では、コネクタ５１を介してコンセント１１に接続される器具５０の種類は様々である。例えば、器具５０は、白熱電球、ＬＥＤ等を含む照明器具や、モータが駆動することにより動作する器具などの各種の器具である。ここで、器具５０が白熱電球を含む照明器具である場合には、器具５０は、商用電源が位相制御された電源が供給されることにより点灯する。一方、器具５０がＬＥＤを含む照明器具である場合には、器具５０は、商用電源が供給されることにより点灯する。また、器具５０が、モータが駆動することにより動作する器具である場合にも、器具５０は、商用電源が供給されることにより動作する。
【００２７】
複数のＬＥＤ１２それぞれは、ユーザが視認可能なように、電源判別装置１０の筐体に設けられている。また、複数のＬＥＤ１２は、上述のコンセント１１の近傍に設けられている。例えば、複数のＬＥＤ１２は、コンセント１１から１０ｃｍ程度離れた位置に設けられている。
【００２８】
複数のＬＥＤ１２それぞれは、抵抗１２を介してＣＰＵ１５に接続されている。複数のＬＥＤ１２それぞれは、ＣＰＵ１５の制御を受けて光を発する。例えば、ＬＥＤ１２は、後述する報知制御部１５ｂによる制御を受けて、時間間隔αで点滅したり、時間間隔βで点滅したりする。ＬＥＤ１２は、報知部の一例である。
【００２９】
電源回路１３は、分岐盤２２のスイッチ２２ｂと接続されており、スイッチ２２ｂにより切り替えられた商用電源及び商用電源が位相制御された電源の何れか一方の電源が供給される。電源回路１３は、供給された電源を直流電源に変換してＣＰＵ１５に供給する。
【００３０】
フォトカプラ１４は、分岐盤２２のスイッチ２２ｂと接続されており、スイッチ２２ｂにより切り替えられた商用電源及び商用電源が位相制御された電源の何れか一方の電源が供給される。すなわち、フォトカプラ１４には、スイッチ２２ｂにより切り替えられた電源が入力される。そして、フォトカプラ１４は、入力された電源の電圧波形を、閾値を用いてオン又はオフに二値化した波形に変換し、変換後の波形が示す電圧をＣＰＵ１５に出力する。
【００３１】
なお、フォトカプラ１４と後述の判別部１５ａを一つの判別部とすることもできる。すなわち、ここでいう判別部には、フォトカプラ１４と後述の判別部１５ａが含まれる。
【００３２】
図３Ａ及び図３Ｂを参照して、フォトカプラ１４が、入力された電源の電圧波形を、所定の閾値を用いてオン又はオフに二値化した波形に変換する動作の一例について説明する。図３Ａ及び図３Ｂは、フォトカプラ１４が、入力された電源の電圧波形を、所定の閾値を用いてオン又はオフに二値化した波形に変換する動作の一例について説明するための図である。
【００３３】
例えば、スイッチ２２ｂにより切り替えられた電源が、商用電源である場合には、図３Ａの（ａ）に示すような電圧波形の電源がフォトカプラ１４に入力される。このような電圧波形の電源がフォトカプラ１４に入力されると、フォトカプラ１４ａは、電圧波形の全区間のうち、電圧値が閾値「ａ」以上の区間及び閾値「−ａ」以下の区間についてはオン（１）とし、電圧値が閾値「ａ」未満かつ閾値「−ａ」よりも大きい区間についてはオフ（０）とした波形（図３Ａの（ｂ）参照）に変換する。そして、フォトカプラ１４は、この波形が示す電圧をＣＰＵ１５に入力する。
【００３４】
また、スイッチ２２ｂにより切り替えられた電源が、商用電源が位相制御された電源である場合には、図３Ｂの（ｃ）に示すような電圧波形の電源がフォトカプラ１４に入力される。このような電圧波形の電源がフォトカプラ１４に入力されると、フォトカプラ１４ａは、電圧波形の全区間のうち、電圧値が閾値「ａ」以上の区間及び閾値「−ａ」以下の区間についてはオン（１）とし、電圧値が閾値「ａ」未満かつ閾値「−ａ」よりも大きい区間についてはオフ（０）とした波形（図３Ｂの（ｄ）参照）に変換する。そして、フォトカプラ１４は、この波形が示す電圧をＣＰＵ１５に入力する。
【００３５】
ここで、図３Ｂの（ｄ）に示す波形のオフの区間の長さＸ´は、図３Ａの（ｂ）に示す波形のオフの区間の長さＸよりも長い。これにより、オフの区間の長さによって、商用電源と商用電源が位相制御された電源との判別が可能となる。
【００３６】
例えば、Ｘは０．５ｍｓであり、Ｘ´は１ｍｓである。
【００３７】
また、図３Ｂの（ｃ）及び図３Ａの（ｂ）が示すように、位相制御装置２１ｂの出力電圧波形は、商用電源の電圧波形がオン又はオフに二値化された波形のオフの区間の長さよりも長いオフの区間を持つ。
【００３８】
ＣＰＵ１５は、電源回路１３により供給された直流電源によって動作する。図４は、ＣＰＵ１５の機能構成の一例を示す図である。図４の例に示すように、ＣＰＵ１５は、判別部１５ａと、報知制御部１５ｂとを有する。
【００３９】
判別部１５ａは、入力された電源が２種類の電源のうちいずれの種類の電源であるかを判別する。例えば、判別部１５ａは、フォトカプラ１４から入力された電圧の波形のオフの区間の長さを特定する。そして、判別部１５ａは、特定したオフの区間の長さが閾値αより大きいか否かを判定する。特定したオフの区間の長さが閾値αより大きいと判定した場合には、判別部１５ａは、入力された電源が、商用電源が位相制御された電源であると判別する。一方、特定したオフの区間の長さが閾値α以下であると判定した場合には、判別部１５ａは、入力された電源が、商用電源であると判別する。このように、判別部１５ａは、フォトカプラ１４により変換された波形のオフの区間の長さに基づいて、入力された電源が、商用電源か、商用電源が位相制御された電源であるかを判別する。
【００４０】
報知制御部１５ｂは、判別部１５ａによる判別結果を報知するように、ＬＥＤ１２の点灯を制御する。例えば、判別部１５ａにより、特定したオフの区間の長さが閾値αより大きいと判定された場合（入力された電源が、商用電源が位相制御された電源であると判別された場合）には、報知制御部１５ｂは、時間間隔αで点滅するようにＬＥＤ１２を制御する。すなわち、報知制御部１５ｂは、入力された電源が、商用電源が位相制御された電源であることを示す情報を報知するように、報知部の一例であるＬＥＤ１２を制御する。これにより、入力された電源が、商用電源が位相制御された電源であることをユーザに把握させることができる。
【００４１】
一方、判別部１５ａにより、特定したオフの区間の長さが閾値α以下であると判定された場合（入力された電源が、商用電源であると判別された場合）には、報知制御部１５ｂは、時間間隔βで点滅するようにＬＥＤ１２を制御する。すなわち、報知制御部１５ｂは、入力された電源が、商用電源であることを示す情報を報知するように、報知部の一例であるＬＥＤ１２を制御する。これにより、入力された電源が、商用電源であることをユーザに把握させることができる。
【００４２】
また、複数のＬＥＤ１２それぞれが発する光の色が異なる場合には、報知制御部１５ｂは、判別部１５ａによりオフの区間の長さが閾値α以下であると判定された場合には、第１の色（例えば赤色）の光を発するＬＥＤ１２を点灯させるように、このＬＥＤ１２を制御し、判別部１５ａによりオフの区間の長さが閾値αより大きいと判定された場合には、第２の色（例えば青色）の光を発するＬＥＤ１２を点灯させるように、このＬＥＤ１２を制御することもできる。
【００４３】
また、報知制御部１５ｂは、判別部１５ａによりオフの区間の長さが閾値α以下であると判定された場合と、判別部１５ａによりオフの区間の長さが閾値αより大きいと判定された場合とで、発する光の明るさが異なるように、ＬＥＤ１２の点灯を制御することもできる。
【００４４】
以上のことから、本実施形態に係る電源判別装置１０及び電源システム１によれば、２種類の電源のうちいずれの種類の電源を使用可能であるのかをユーザに把握させることができる。したがって、本実施形態に係る電源判別装置１０及び電源システム１によれば、ユーザが供給電源に対応していない器具５０を誤ってコンセント１１に接続してしまう状況の発生を抑制することができる。
【００４５】
また、本実施形態に係る電源判別装置１０及び電源システム１によれば、コンセント１１の近傍にＬＥＤ１２が設けられているので、より確実に、２種類の電源のうちいずれの種類の電源を使用可能であるのかをユーザに把握させることができる。したがって、より確実に、ユーザが供給電源に対応していない器具５０を誤ってコンセント１１に接続してしまう状況の発生を抑制することができる。
【００４６】
［電源判別装置１０による処理の手順］
次に、図５を用いて、実施形態に係る電源判別装置１０のＣＰＵ１５が実行する報知制御処理の流れについて説明する。図５は、実施形態に係る電源判別装置１０のＣＰＵ１５が実行する報知制御処理の手順を示すフローチャートである。報知制御処理は、例えば、電源回路１３によりＣＰＵ１５に電源が供給されている場合に、所定の時間間隔で実行される。
【００４７】
図４に示すように、判別部１５ａは、フォトカプラ１４から入力された電圧の波形のオフの区間の長さを特定し、特定したオフの区間の長さが閾値αより大きいか否かを判定する（ステップＳ１０１）。
【００４８】
次に、判別部１５ａにより、特定したオフの区間の長さが閾値α以下であると判定された場合（ステップＳ１０１：Ｎｏ）には、報知制御部１５ｂは、入力された電源が、商用電源であることを示す情報を報知するように、報知部の一例であるＬＥＤ１２を制御し（ステップＳ１０２）、報知制御処理を終了する。
【００４９】
一方、判別部１５ａにより、特定したオフの区間の長さが閾値αより大きいと判定された場合（ステップＳ１０１：Ｙｅｓ）には、報知制御部１５ｂは、入力された電源が、商用電源が位相制御された電源であることを示す情報を報知するように、報知部の一例であるＬＥＤ１２を制御し（ステップＳ１０３）、報知制御処理を終了する。
【００５０】
以上、実施形態に係る電源判別装置１０及び電源システム１について説明した。上述したように、本実施形態の電源判別装置１０及び電源システム１によれば、複数の種類の電源のうちいずれの種類の電源を使用可能であるのかをユーザに把握させることができる。
【００５１】
なお、上述の実施形態では、判別部１５ａが、フォトカプラ１４により変換された２値の波形に基づいて、入力された電源が、商用電源か、商用電源が位相制御された電源であるかを判別する場合について説明した。しかしながら、フォトカプラ１４を設けず、判別部１５ａが、入力された電源の電圧値（実効値）を測定することで電源の波形を特定し、特定した電源の波形が正弦波の形状か否かを判定することによって、入力された電源が、商用電源か、商用電源が位相制御された電源であるかを判別することもできる。
【００５２】
また、電源判別装置１０を、舞台やテレビなどのスタジオにおけるバトンの近傍に設けることもできる。
【００５３】
また、電源判別装置１０とコンセント１１とが別々に設けられている場合には、電源判別装置１０を器具５０のコネクタ５１に設けてもよい。この場合、コネクタ５０を介してコンセント１１から供給される電源に対して、フォトカプラ１４及びＣＰＵ１５が上述の動作を行う。なお、この場合には、ユーザは、器具５０の電源投入用のスイッチをオフした状態で、コネクタ５１をコンセント１１に接続し、電源判別装置１０の報知内容から、器具５０が供給電源に対応している場合のみ、器具５０の電源投入用のスイッチをオンすればよい。このように、電源判別装置１０とコンセント１１とが別々に設けられている場合には、電源判別装置１０は、電源を判別する専用の装置となる。したがって、この場合の電源判別装置１０は、電源判別用専用装置ともいえる。
【００５４】
また、電源判別装置１０とコンセント１１とが別々に設けられている場合には、電源判別装置１０を器具５０のコネクタ５１とコンセント１１とを中継する中継アダプタに設けてもよい。この場合も、コンセント１１から供給される電源に対して、フォトカプラ１４及びＣＰＵ１５が上述の動作を行う。
【００５５】
また、報知制御部１５ｂは、判別部１５ａによる判別の結果を音声で報知するように、スピーカを制御することもできる。これにより、スピーカは、判別の結果を音声で報知する。なお、スピーカは、報知部の一例である。
【００５６】
また、上述の実施形態では、判別部１５ｂが、オフの区間の長さに基づいて、２種類の制御電源を判別する場合について説明したが、判別部１５ｂは、３種類以上の複数の制御電源を判別することもできる。例えば、３種類以上の複数の制御電源のそれぞれについて、オフの区間の長さが固有である場合には、判別部１５ｂは、固有であるオフの区間の長さを用いて、３種類以上の複数の制御電源を判別することができる。
【００５７】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００５８】
１０      電源判別装置
１５ａ    判別部
１２      ＬＥＤ
【図１】
2016066419.tif 000003
【図２】
2016066419.tif 000004
【図３Ａ】
2016066419.tif 000005
【図３Ｂ】
2016066419.tif 000006
【図４】
2016066419.tif 000007
【図５】
2016066419.tif 000008